【事件の表示】
　特願２００７−　５８３７５「計算機及び表示装置」拒絶査定不服審判事件〔平成２０年　９月２５日出願公開、特開２００８−２２５５２８〕について、次のとおり審決する。
【結　論】
　本件審判の請求は、成り立たない。
【理　由】
１．手続の経緯・本願発明
　　
　本願は，平成１９年３月８日を出願日とする出願であって，
平成２１年１２月８日付けで審査請求がなされ，
平成２３年９月７日付けで拒絶理由通知（同年同月１３日発送）がなされ，
同年１１月１４日付けで意見書が提出されるとともに，同日付けで手続補正がなされたが，
同年同月２８日付けで拒絶査定（同年１２月６日謄本送達）がなされたものである。
　
これに対して，平成２４年３月５日付けで審判請求がされるとともに，同日付けで手続補正がなされ，
同年３月２２日付けで審査官により拒絶理由通知（同年同月２７日発送）がなされ，
同年５月２８日付けで意見書の提出，及び手続補正がなされ，
同年６月１３日付けで審査官により特許法第１６４条第３項の規定に基づく報告がなされ，
同年１２月１７日付けで当審により特許法第１３４条第４項の規定に基づく審尋（同年同月１８日発送）がなされ，
平成２５年２月１５日付けで回答書の提出があったものであって，
その請求項１に係る発明は，平成２４年５月２８日付け手続補正書によって補正された特許請求の範囲の請求項１に記載されたとおりの次のものと認める。（以下，「本願発明」という。）
　
「情報を処理する計算機本体と，
　前記計算機本体に接続され，電源が断たれても表示状態を保持する表示装置と，
　前記計算機本体で，電源切断が行われる複数の異常を表示対象として受け付けることで，予め表示対象として選択される複数の異常として該電源切断が行われる複数の異常を含め，該電源切断が行われる複数の異常の何れかが検出された場合に，検出した異常に応じて異なる情報を前記表示装置に表示する表示制御部と，
を備えたことを特徴とする計算機。」
　
　
２．引用文献等
　
（２−１）引用文献
　本願の出願前に頒布され，原審の拒絶の査定の理由である平成２３年９月７日付けで通知した拒絶の理由に引用した，特開２００６−１３９１４５号公報（以下，「引用文献」という。）には，図面とともに次の事項が記載されている（当審注：下線は，参考のために当審で付与したものである。以下，同じ。）。
　
　Ａ「【請求項１】
  
液晶パネルと電源オフ後の表示機能を備えた電子ペーパとを有する液晶ディスプレイにおいて，
  
前記液晶パネルと前記電子ペーパとを同一の電極基盤上に積層して構成される画像表示手段と，
  
前記液晶パネルの電源がオフされたときに，前記電子ペーパに所定の画像を表示させる画像制御手段とを備えることを特徴とする液晶ディスプレイ
【請求項２】
  前記電子ペーパは，前記液晶パネルとは異なる電荷反応特性を有することを特徴とする請求項１記載の液晶ディスプレイ。
【請求項３】
  前記液晶ディスプレイが一定時間使用されなかったときに，前記液晶パネルの電源をオフにして待機状態に移行する省電力手段を更に備え，前記画像制御手段は，前記待機状態に移行したタイミングで，前記電子ペーパに所定の画像を表示させることを特徴とする請求項１又は２記載の液晶ディスプレイ。
【請求項４】
  
前記画像制御手段は，エラーを検知する検知手段を備え，前記エラーを検知したタイミングで，前記液晶パネルの電源をオフにすると共に，前記電子ペーパに所定の画像を表示させる
液晶ディスプレイ
【請求項５】
  前記所定の画像は，少なくともエラーコード又は復旧手順を示す画像であることを特徴とする請求項１乃至４のいずれか１項に記載の液晶ディスプレイ。」
　
　Ｂ「【００１２】
  図１は，本発明の実施の形態に係る液晶ディスプレイを備える画像入出力装置の外観図である。
【００１３】
  図１において，
複写機等の画像入出力装置１００は，画像入力デバイスとしてのスキャナ部１０１と，印刷用紙に画像を印刷すると共に排紙する画像出力デバイスとしてのプリンタ部１０５と，液晶ディスプレイを有し，操作情報が入力される操作部１０４とを備える。
【００１４】
  スキャナ部１０１は，原稿となる紙上の画像を照明し，ＣＣＤラインセンサを走査することにより，紙上の画像をイメージデータとして電気信号に変換する。原稿用紙は，原稿フィーダ１０２のトレイ１０３にセットされ，ユーザが操作部１０４から読み取り起動指示することにより，フィーダ１０２は，原稿用紙を１枚ずつフィードし原稿画像の読み取り動作を行う。
【００１５】
  プリンタ部１０５は，イメージデータを用紙上の画像に変換する部分であり，異なる用紙サイズ又は異なる用紙向きを選択できるように複数の給紙段を備え，それに対応した用紙カセット１０６，１０７と，印字し終わった用紙を受ける排紙トレイ１０８を備える。
【００１６】
  本実施の形態におけるプリンタ部１０５は，感光体ドラムや感光体ベルトを用いた電子写真方式及び微少ノズルアレイからインクを吐出して用紙上に直接画像を印字するインクジェット方式等，どの方式でも構わない。」
　
　Ｃ「【００４４】
  図７は，図４の操作部１０４によって実行されるエラー処理の手順を示すフローチャートである。
【００４５】
  図７の処理は，画像入出力装置１００がエラー状態に陥ったときに実行され，このフローチャートに記述される内容もまた，図４のプログラムＲＯＭ４０２に制御プログラムとして格納される。
【００４６】
  図７において，画像入出力装置１００が正常稼動し（ステップＳ７０１），
エラーが発生する（ステップＳ７０２）。続いて，例えば図８のようなエラー内容に応じた画面が電極基盤２０２により作像され
【００４７】
  通常，画像入出力装置がエラー状態に陥った場合は，ディスプレイの状態が常にアクティブでエラーコードが表示されたままとなり，画像入出力装置を使用できないに関わらず，電源がオンのままということになる。また，ユーザが電源をオフにしてしまった場合は，何のエラーが発生したのか，復旧手順はどうすればよいのかが表示されないため，ユーザは復旧手順が分からないままとなる。
【００４８】
  しかしながら，図７の処理によれば，
ユーザは，表示操作パネル２０１の電源をオフにした状態で，エラーに関する情報を確認することができる。
【００４９】
  図８は，図７のステップＳ７０３において作像されるエラー表示画面を説明するのに用いられる図である。
【００５０】
  図８において，表示操作パネル２０１は，図１の画像入出力装置１００において，プリントするのに必要なトナーの残量が無いときのエラー表示を行っており，“エラーコード”，“復旧手順”等が表示されている。」
　
　以下に，引用文献の記載事項について検討する。
　
（ア）引用文献は，上記Ａに記載の“液晶ディスプレイ”の発明について説明する文献であり，上記Ａの請求項１，及び請求項４の記載から，引用文献には，
“液晶ディスプレイにおいて，
　液晶パネルと，
　電源オフ後の表示機能を備えた電子ペーパと，を有するとともに，
  前記液晶パネルと前記電子ペーパとを同一の電極基盤上に積層して構成される画像表示手段と，
　前記液晶パネルの電源がオフされたときに，前記電子ペーパに所定の画像を表示させる画像制御手段とを備え，
　前記画像制御手段は，エラーを検知する検知手段を備え，前記エラーを検知したタイミングで，前記液晶パネルの電源をオフにすると共に，前記電子ペーパに所定の画像を表示させる，
　液晶ディスプレイ”が記載されているといえる。
　
（イ）上記Ｂの記載は，上記“液晶ディスプレイ”の発明を，「画像入出力装置」に適用した「実施の形態」について説明するものであるところ，
　上記Ｂの「複写機等の画像入出力装置１００は，画像入力デバイスとしてのスキャナ部１０１と，印刷用紙に画像を印刷すると共に排紙する画像出力デバイスとしてのプリンタ部１０５と，液晶ディスプレイを有し，操作情報が入力される操作部１０４とを備える。」との記載から，引用文献には，
“画像入出力装置において，
　画像入力デバイスとしてのスキャナ部と，
　印刷用紙に画像を印刷すると共に排紙する画像出力デバイスとしてのプリンタ部と，
　液晶ディスプレイと，
　操作情報が入力される操作部を有」することが記載されているといえ，
　
　上記（ア）と合わせると，引用文献には，
　“画像入出力装置において，
　画像入力デバイスとしてのスキャナ部と，
　印刷用紙に画像を印刷すると共に排紙する画像出力デバイスとしてのプリンタ部と，
　液晶ディスプレイと，
　操作情報が入力される操作部を有し，
　前記液晶ディスプレイは，
　　液晶パネルと，
　　電源オフ後の表示機能を備えた電子ペーパと，を有するとともに，
　　前記液晶パネルと前記電子ペーパとを同一の電極基盤上に積層して構成される画像表示手段と，
  　前記液晶パネルの電源がオフされたときに，前記電子ペーパに所定の画像を表示させる画像制御手段とを備え，
　　前記画像制御手段は，エラーを検知する検知手段を備え，前記エラーを検知したタイミングで，前記液晶パネルの電源をオフにすると共に，前記電子ペーパに所定の画像を表示させる，
　画像入出力装置”が記載されているといえる。
　
（ウ）上記“所定の画像”に関し，
　上記Ｃの「エラーが発生する（ステップＳ７０２）。続いて，例えば図８のようなエラー内容に応じた画面が電極基盤２０２により作像され」，「ユーザは，表示操作パネル２０１の電源をオフにした状態で，エラーに関する情報を確認することができる。」との記載から，
　上記“所定の画像”は，“エラーに関する情報を含む”ことが記載されているといえる。
　
　以上，（ア）ないし（ウ）を踏まえると，引用文献には，次の発明（以下，「引用発明」という。）が記載されているものと認める。
　
　画像入出力装置において，
　画像入力デバイスとしてのスキャナ部と，
　印刷用紙に画像を印刷すると共に排紙する画像出力デバイスとしてのプリンタ部と，
　液晶ディスプレイと，
　操作情報が入力される操作部を有し，
　前記液晶ディスプレイは，
　　液晶パネルと，
　　電源オフ後の表示機能を備えた電子ペーパと，を有するとともに，
　　前記液晶パネルと前記電子ペーパとを同一の電極基盤上に積層して構成される画像表示手段と，
　　前記液晶パネルの電源がオフされたときに，前記電子ペーパに所定の画像を表示させる画像制御手段とを備え，
　　前記画像制御手段は，エラーを検知する検知手段を備え，前記エラーを検知したタイミングで，前記液晶パネルの電源をオフにすると共に，前記電子ペーパに所定の画像を表示させるものであり，
　　前記所定の画像は，エラーに関する情報を含む，
　画像入出力装置。
　
（２−２）参考文献１
　本願の出願前に頒布された，特開２００１−１９７２９２号公報（以下，「参考文献１」という。）には，図面とともに次の事項が記載されている（当審注：下線は，参考のために当審で付与したものである。）。
　
　Ｄ「【００５１】（実施の形態２）次に，図９を参照して，本発明の実施の形態２について説明する。
【００５２】本実施の形態２の画像形成装置の本体における画像形成手段６に設けた図示していないが転写紙のトータル出力枚数を計数する計数手段と，日時データを計時するタイマー回路９と，前記制御手段１に設けた前記本体，オプションユニット５０のエラー（サービスコードエラー）検知を行うエラー検知手段と，各種情報を記憶する履歴記憶手段である不揮発性でリングバッファ方式の履歴メモリ１３と，文字情報を表示可能な表示手段８とを備え，前記エラー検知手段によるエラー検知情報を基に，本体及びオプションユニット５０の制御ＲＯＭのＲＯＭバージョン，トータル出力枚数，エラー発生時刻，エラーコードの各情報を前記履歴メモリ１３に記憶保持し，前記表示手段１２に表示可能としたことが特徴である。
・・・（中略）・・・
【００５８】本実施の形態２の画像形成装置によれば，
エラーが発生した場合に
電源オフした後
表示し，
出力することが可能
本体の電源オフした後でもユーザー又はサービスマンはエラー情報を知ることができ
　
（２−３）参考文献２
　本願の出願前に頒布された，特開平８−１６６７４５号公報（以下，「参考文献２」という。）には，図面とともに次の事項が記載されている（当審注：下線は，参考のために当審で付与したものである。）。
　
　Ｅ「【請求項４】  複数の制御部の連係動作により画像形成を行う画像形成装置であって，前記複数の制御部に夫々設けられ，夫々の制御部の所要の情報を記憶する複数の記憶手段と，
エラー発生に伴う電源オフ
　
（２−４）参考文献３
　本願の出願前に頒布された，特開２００６−２８４６７０号公報（以下，「参考文献３」という。）には，図面とともに次の事項が記載されている（当審注：下線は，参考のために当審で付与したものである。）。
　
　Ｆ「【００４５】
  次に，図３の濃度制御処理のステップＳ１０３において，パッチ画像濃度Ｄv(６)の値が適正値でなかった場合の例外処理について説明する。ここでの例外処理としては，以下に説明する例外処理＃１，＃２のうちいずれかを実行することができる。
【００４６】
  図５は例外処理＃１を示すフローチャートである。例外処理＃１では，まず未チェックの他のパッチ画像を含めた全てのパッチ画像の濃度検出結果をチェックする（ステップＳ２０１）。なお，濃度不足の原因を推定するという観点からは，他の現像バイアス値で形成された少なくとも１つのパッチ画像の濃度を確認すればよいが，ここではより正確を期すために，改めて全てのパッチ画像についてチェックを行うものとする。
・・・（中略）・・・
【００５４】
  図７は
例外処理＃２
異常の原因を推定するための条件が異なることに起因して，ステップＳ３０７において表示するエラーメッセージ
例外処理＃１の場合とは相違している
　
（２−５）参考文献４
　本願の出願前に頒布された，特開２００６−１３７０５１号公報（以下，「参考文献４」という。）には，図面とともに次の事項が記載されている（当審注：下線は，参考のために当審で付与したものである。）。
　
　Ｇ「【００３０】
  図３は，印刷装置１０のエラー／警告処理に関する機能構成を示すブロック図である。本図に示すように，印刷装置１０は，エラー／警告検知部１１１，表示制御部１１２，指示受付部１１３，エラー／警告管理テーブル１１４，ヘルプデータベース１１５を備えている。これらの機能部は，ＲＯＭ２５に記録されたプログラムをＣＰＵ２２が実行したり，ＲＯＭ２５に記録された各種データ等に基づいて主として制御部１１に仮想的に構築される。
【００３１】
  エラー／警告検知部１１１は，印刷装置１０に備えられた各種センサー，カウンタ等（図示せず）を監視して，印刷装置１０でエラーまたは警告とするべき異常事態が発生したことを検出する。このとき，エラー／警告検知部１１１は，印刷装置１０のどの部分でどのような異常事態が発生したかを特定できるようになっている。特定された異常事態は，
例えば，エラー／警告コードにより示される。
【００３２】
  ここで，エラーは，用紙詰まり，用紙切れ等の印刷の継続が不可能な異常事態を意味し，警告は，消耗品の残量僅少，印刷データの指示通りの印刷ができなかった等の印刷は可能であるが放置すれば印刷ができなくなったり印刷品質が低下するような状態を意味するものとする。ただし，本実施形態では，両者を厳密に区別する必要はない。
・・・（中略）・・・
【００３５】
  エラー／警告管理テーブル１１４は，印刷装置１０で扱うエラー／警告についての情報を液晶ディスプレイ３０に表示する際の規則等が記録されたテーブルである。
【００３６】
  図４は，
エラー／警告管理テーブル
エラー／警告単位
【００３７】
  優先順位１１４ａは，複数のエラー／警告が発生した場合の，液晶ディスプレイ３０に表示する順序である。すなわち，エラー／警告はその重要度，緊急度に応じてあらかじめ表示する優先順位が定められている。
【００３８】
  エラー／警告メッセージ１１４ｂは，エラー／警告が発生した場合に液晶ディスプレイ３０に表示するメッセージである。
ユーザはこのメッセージを見ることにより，どのようなエラー／警告が発生したかを知ることができる
　
（２−６）参考文献５
　本願の出願前に頒布された，特開２００６−２９３４８７号公報（以下，「参考文献５」という。）には，図面とともに次の事項が記載されている（当審注：下線は，参考のために当審で付与したものである。）。
　
　Ｈ「【０１１３】
  ［実施の形態２］
  次に本発明の実施の形態２について説明する。尚，この実施の形態２において，アダプタ１２００の操作パネル１２０８の外観以外は，前述の実施の形態１と同様である。よって，ＰＤプリンタ１０００，アダプタ１２００，携帯電話１１００の構成に関する説明，及びこれらの間の通信プロトコルに関する説明を省略する。
【０１１４】
  図２１は，本発明の実施の形態２に係るアダプタの操作パネル１２０８ａの概観図で，前述の図７に示す構成と共通する部分は同じ記号で示し，それらの説明を割愛する。
【０１１５】
  図７と比較すると明らかなように，各項目の右側に，プリンタ１０００，アダプタ１２００及び携帯電話１１００が機能的に接続されている状態で，いずれのＵＩを使用して各機能設定を行うかを指示するための操作切替用のエリア２６１０，２６２０，２６３０，２６４０，２６５０が設けられている。また
エラー表示をどこで行うかを指定するエラー表示エリア
「プリンタ」「アダプタ」「接続機器」
・・・（中略）・・・
【０１１７】
  またエラー表示エリア２８００は，エラー表示をどの機器で行うかを選択する
切替ボタン
プリンタのステータス表示，印紙無しエラー
どの機器に表示するかを選択できる
　
（２−７）参考文献６
　本願の出願前に頒布された，特開２００５−８５２２５号公報（以下，「参考文献６」という。）には，図面とともに次の事項が記載されている（当審注：下線は，参考のために当審で付与したものである。）。
　
　Ｊ「【０００７】
  従って，本発明は，ビューワにて画像形成イメージを表示する際，印刷データから表示用の中間データを生成する際に印刷エラーの個所を検出し，エラーが発生した印刷ページのエラー個所を強調表示するとともに，検出するエラーの種別および
エラー種別毎の強調表示の態様をユーザが指定する
【課題を解決するための手段】
【０００８】
上記目的を達成するために，請求項１の発明は，プリンタにより印刷出力される印刷イメージを表示部に表示する印刷イメージ表示装置において，印刷イメージの中の不正出力される不正出力個所を判別する判別手段と，判別手段で判別された不正出力個所を正常出力される個所と識別可能に表示部に表示する表示制御手段とを具備することを特徴とする。
・・・（中略）・・・
【００３４】
  また，印刷イメージ表示装置２は，操作／表示部３を用いてユーザ４が設定した印刷処理に関する制限事項（例えば，使用可能フォント，用紙サイズ毎の印刷可能領域のサイズ，印刷エラーの種別定義等）に基づいて，印刷エラーの個所を特定し，特定した印刷エラーの種別毎に強調表示を行うエラー表示機能を備える。
・・・（中略）・・・
【００４８】
  エラー強調表示設定管理部１５は，
印刷イメージ表示画面２１におけるエラー強調表示の態様をユーザ４が設定する
　
３．対比　
　
　本願発明と引用発明とを対比する。
　
（３−１）引用発明の「画像入出力装置」は，「操作情報が入力される操作部」を有するものであり，当該「操作情報」は情報といえるものであるとともに，当該「操作情報」をもとに「画像入出力」処理を行うことは，情報の処理に他ならない。また，上記「操作情報」から当該「画像入出力」処理を導くために何らかの演算処理すなわち計算処理を行うことは自明の事項であるから，上記「画像入出力装置」は計算機といえるものであり，さらに，当該「画像入出力装置」における，「スキャナ部」，「プリンタ部」，及び，「操作部」よりなる部分が，計算機の本体に含まれると見なせることから，これより，上記「画像入出力装置」は本体部分を有しているものといえる。
　したがって，引用発明の「画像入出力装置」の本体部分は，本願発明の「情報を処理する計算機本体」に相当するといえる。
　
（３−２）引用発明の「電源オフ後の表示機能を備えた電子ペーパ」が，「画像入出力装置」における「スキャナ部」，「プリンタ部」，及び，「操作部」等の他の構成に接続されていることは自明の事項であるから，
　引用発明の「画像入出力装置」における「電源オフ後の表示機能を備えた電子ペーパ」は，本願発明の「前記計算機本体に接続され，電源が断たれても表示状態を保持する表示装置」に相当するといえる。
　
（３−３）引用発明の「エラー」は検出対象としての異常であり，一方，本願発明の「電源切断が行われる」「異常」も，上位概念において，異常といえる。
　したがって，引用発明の「エラーを検知する検知手段を備え，前記エラーを検知したタイミングで，前記液晶パネルの電源をオフにすると共に，前記電子ペーパに所定の画像を表示させる」「画像制御手段」と，本願発明の「前記計算機本体で，電源切断が行われる複数の異常を表示対象として受け付けることで，予め表示対象として選択される複数の異常として該電源切断が行われる複数の異常を含め，該電源切断が行われる複数の異常の何れかが検出された場合に，検出した異常に応じて異なる情報を前記表示装置に表示する表示制御部」とは，ともに，“異常が検出された場合に，検出した異常の情報を前記表示装置に表示する表示制御部”である点で共通する。
　
（３−４）上記（３−１）で述べたとおり，
　引用発明の「画像入出力装置」は，本願発明の「計算機」に相当するといえる。　
　
　以上の対比から，両者は，
「情報を処理する計算機本体と，
　前記計算機本体に接続され，電源が断たれても表示状態を保持する表示装置と，
　異常が検出された場合に，検出した異常の情報を前記表示装置に表示する表示制御部と，
を備えたことを特徴とする計算機」
　
　である点で一致し，次の点で相違する。　
　
（相違点１）
　検出された場合に，情報を表示する対象である，異常に関し，
　本願発明は，「電源切断が行われる」異常であるのに対し，
　引用発明は，「エラー」が上記「電源切断が行われる」異常に該当するかは言及されていない点。
　
（相違点２）
　異常に応じた，情報の表示方法に関し，
　本願発明は，該電源切断が行われる「複数の」異常「の何れか」が検出された場合に，検出した異常「に応じて異なる」情報を前記表示装置に表示することとしているのに対し，
　引用発明は，そのような構成とはなっていない点。
　
（相違点３）
　検出対象である異常の範囲に関し，
　本願発明は，「前記計算機本体で」，電源切断が行われる複数の異常を「表示対象として受け付けることで，予め表示対象として選択される複数の異常として」該電源切断が行われる複数の異常を「含め」るよう，行っているのに対し，
　引用発明は，そのような構成とはなっていない点。
　
　
４．当審の判断　
　
　そこで，上記相違点１ないし相違点３について検討する。
　
（相違点１）ないし（相違点３）について
　複写機等の画像形成装置において，検出する異常に，電源切断が行われるものを含むことは，当業者にとって技術常識であり（例えば，参考文献１の上記Ｄの記載，参考文献２の上記Ｅの記載を参照），
　
　そして，一般に，画像形成装置における異常検出処理において，
　検出して表示対象とする異常を複数想定し，検出した異常に応じて異なる情報を表示することは，例えば，
　参考文献３の上記Ｆの記載（「原因を推定するための条件が異なる」異常である「例外処理＃１」「例外処理＃２」に応じて，「表示するエラーメッセージ」が「相違」する点），
　参考文献４の上記Ｇの記載（複数想定される「エラー」に対し「エラー／警告管理テーブル」上で，「エラー／警告単位」に「エラー／警告メッセージ」を異ならせ，「ユーザはこのメッセージを見ることにより，どのようなエラー／警告が発生したかを知ることができる」ようにしている点），
　に記載のように，
　
　また，表示手段における表示対象として，特定の異常を指定するようにすることは，例えば，
　参考文献５の上記Ｈの記載（「切替ボタン」の操作により「エラー」の表示を「「プリンタ」「アダプタ」「接続機器」」のいずれで行うかを指定している点），
　参考文献６の上記Ｊの記載（「エラー種別毎の強調表示の態様」すなわち，エラーであるとの情報表示（強調表示）を行うか否かを，「エラー種別毎」に，「ユーザ」が「設定する」点），
　に記載のように，いずれも，本願出願時に周知であり，
　
　上記検出する異常に，電源切断が行われるものを対象とする際に，上記周知技術を採用し，検出して表示対象とする異常を複数想定し，検出した異常に応じて異なる情報を表示するとともに，表示手段における表示対象として，特定の異常を指定することに，格別困難性はなく，また，上記特定の異常の指定を，画像形成装置において行うようにすることは，必要に応じて適宜行う程度の事項である。
　
　したがって，引用発明における，検出された場合に情報を表示する対象である「エラー」において，上記周知技術を適用し，
　「電源切断が行われる」異常として，当該異常に応じた情報表示として，該電源切断が行われる「複数の」異常「の何れか」が検出された場合に，検出した異常「に応じて異なる」情報を前記表示装置に表示するとともに，「前記計算機本体で」，電源切断が行われる複数の異常を「表示対象として受け付けることで，予め表示対象として選択される複数の異常として」該電源切断が行われる複数の異常「を含め」るようにすること，すなわち，相違点１ないし相違点３に係る構成とすることは，当業者が容易に想到し得ることである。
　よって，相違点１ないし相違点３は格別のものではない。
　
　
（本願発明の作用効果について）
　そして，本願発明の構成によってもたらされる効果も，引用発明及び上記周知技術から当業者が容易に予測することができる程度のものであって，格別のものとはいえない。　
　
　
５．むすび
　
　以上のとおり，本願発明は，引用発明及び周知技術に基いて，当業者が容易に発明をすることができたものであるから，特許法第２９条第２項の規定により特許を受けることができない。
　したがって，本願は，他の請求項について検討するまでもなく，拒絶されるべきものである。
　
　よって，結論のとおり審決する。